(57)【要約】      （修正有）【課題】ファッション性にも優れ、かつ、コードに容易に取り付けることができる芳香装置を提供する。【解決手段】香機能付きアクセサリー１をヘッドホンに用いる場合には、分岐点Ｂを、第１の開口１７ａ側に配置し、左のイヤーカップに接続するコードを左コード用通路ＬＳを通って第２の開口部１７ｂへと通し、一方、右のイヤーカップに接続するコードを右コード用通路ＲＳを通って第２の開口部１７ｂへと通す。ヘッドホンを使用する場合、分岐点Ｂは胸の正面あたりに位置する。従って、分岐部Ｂに下蓋突出部の側面部ＯＳ１４ｂが引っかかる。このため、芳香機能付きアクセサリーをコードに係止させることができる。このように芳香機能付きアクセサリーは、芳香機能を有する。香料を浸透させた脱脂綿等を第１の香料用内部空間、第２の香料用内部空間に配置するにより、上蓋板部に設けられた孔より匂いを発散させることができる。【選択図】図３
0003145684.tif 000002
【実用新案登録請求の範囲】
【請求項１】
第１の筐体蓋部、第２の筐体蓋部、及び筐体側面部を有する筐体、及び、コードに前記筐体を係止する係止部を有する芳香装置であって、
前記第１の筐体蓋部は、
第１の蓋部及び前記第１の蓋部から突出する第１の突出部、
を有し、
前記第１の突出部は、
香料部材を収納するための第１の香料用内部空間を有し、
前記第１の蓋部は、
前記第１の香料用内部空間に通ずる第１の孔を有すること、
を特徴とする芳香装置。
【請求項２】
請求項１に係る芳香装置において、
前記第１の筐体蓋部は、
第２の蓋部及び前記第２の蓋部から突出する第２の突出部、
を有し、
前記第２の突出部は、
香料部材を収納するための第２の香料用内部空間を有すること、
を特徴とする芳香装置。
【請求項３】
請求項１又は請求項２に係る芳香装置において、
前記筐体側面部は、
コードの一端が排出される第１の開口及びコードの他の一端が排出される第２の開口、
を有し、
前記係止部は、
前記第１の突出部の側面部、前記第２の突出部の側面部、又は両者の側面部によって構成されること、
を特徴とする芳香装置。
【請求項４】
請求項３に係る芳香装置において、
前記第１の突出部は、
前記第２の突出部と対向して位置し、
前記第２の突出部は、
前記第１の突出部と対向して位置すること、
を特徴とする芳香装置。
【請求項５】
請求項４係る芳香装置において、
前記第１の香料用内部空間と前記第２の香料用内部空間とは、一体として構成されること、
を特徴とする芳香装置。
【請求項６】
請求項５に係る芳香装置において、
前記第１の突出部及び前記第２の突出部は、
互いに嵌合、係合、若しくは螺合する接合部を有すること、
を特徴とするコード収納装置。
【請求項７】
請求項６に係る芳香装置において、
前記第１の突出部及び前記第２の突出部は、
円筒形状を有すること、
を特徴とする芳香装置。
【請求項８】
請求項３〜請求項７に係る芳装置のいずれかにおいて、
前記第２の蓋部は、
前記第２の香料用内部空間に通ずる第２の孔を有すること、
を特徴とする芳香装置。
【請求項９】
請求項１〜請求項８に係る芳香装置のいずれかを有する携帯型音楽再生装置に用いるヘッドホン用の香料発散アクセサリー。
【考案の詳細な説明】
【技術分野】
【０００１】
本考案は、においを発する芳香装置に関し、特に、コードに係止するものに関する。
【背景技術】
【０００２】
従来の芳香装置の一つである携帯電話用ストラップを図１０を用いて説明する。携帯電話用ストラップ１００は、長時間芳香剤の香りを楽しめ、アクセサリーとして美観上も楽しめるものである。携帯電話用ストラップ１００は、一連の紐状体１０２ａ、１０２ｂ、及び、アクセサリー容器１０３を備える。アクセサリー容器１０３は、基部１０３ｂ及び蓋部３ａを備える。基部１０３ｂには、紐状体１０２ａが挿通され、固着されている。蓋部３ａには、紐状体１０２ａが摺動自在に挿通されている。蓋部３ａと基部１０３ｂとは着脱自在である。また、蓋部３ａは、芳香剤含浸部材を収納可能な収納部を内包している。収納部壁面は通気孔４を備えている。よって、アクセサリー容器１０３の収納部に芳香剤を含浸した芳香剤含浸部材を収納しておけば、通気孔１０４から、芳しい匂いを発散させることができる。
【特許文献１】実用新案登録第３０７９７１４号
【考案の開示】
【考案が解決しようとする課題】
【０００３】
前述の従来の携帯電話用ストラップ１００には、以下のような改善すべき点があった。
携帯電話用ストラップ１００は、紐状体１０２ａを携帯電話に設けられている所定のストラップ用孔に通して固定することによって、携帯電話に取り付けて使用する。つまり、携帯電話用ストラップ１００は、所定の場所に括り付ける、若しくは、引っかける等によって、自らを携帯電話に係止していた。したがって、携帯電話用ストラップ１００を、携帯型音楽プレイヤーに用いるとしても、携帯型音楽プレイヤーの筐体にしか係止することができない。また、一般的に携帯型音楽プレイヤーは、鞄やポケットに収納されることが多く、香料を広く拡散させることが難しい、という改善すべき点がある。
【０００４】
さらに、携帯型音楽プレイヤーに携帯電話用ストラップ１００を使用したとしても、鞄等に収納されるため、ファッション性を発揮させることもできない、という改善すべき点がある。
そこで、本考案は、ファッション性にも優れ、かつ、コードに容易に取り付けることができる芳香装置の提供を課題とする。
【考案の効果】
【０００５】
本考案に係る考案者は、様々な検討を重ねた結果、本考案に係る芳香装置を完成した。以下に、本考案における課題を解決するための手段及び考案の効果を示す。
本考案に係る芳香装置は、第１の筐体蓋部、第２の筐体蓋部、及び筐体側面部を有する筐体、及び、コードに前記筐体を係止する係止部を有する芳香装置であって、前記第１の筐体蓋部は、第１の蓋部及び前記第１の蓋部から突出する第１の突出部、を有し、前記第１の突出部は、香料部材を収納するための第１の香料用内部空間を有し、前記第１の蓋部は、前記第１の香料用内部空間に通ずる第１の孔を有する。
【０００６】
これにより、香料を発散させる筐体をコードに係止することができる。したがって、例えば、携帯型音楽再生装置に利用するヘッドホンのコードに係止することによって、香料を発散させる新たな携帯型音楽再生装置用のアクセサリーとして用いることができる。
本考案に係る芳香装置では、前記第１の筐体蓋部は、第２の蓋部及び前記第２の蓋部から突出する第２の突出部、を有し、
前記第２の突出部は、香料部材を収納するための第２の香料用内部空間を有する。
【０００７】
これにより、第１の香料用内部空間及び第２の香料用内部空間に香料部材を配置することができるので、香料を長い時間発散させることができる。
本考案に係る芳香装置では、前記筐体側面部は、コードの一端が排出される第１の開口及びコードの他の一端が排出される第２の開口、を有し、前記係止部は、前記第１の突出部の側面部、前記第２の突出部の側面部、又は両者の側面部によって構成される。
これにより、特別な部材を必要とすることなく、芳香装置を容易にコードに係止することができる。
【０００８】
本考案に係る芳香装置では、前記第１の香料用内部空間と前記第２の香料用内部空間とは、一体として構成される。
これにより、香料部材による香料の発散が行われなくなれば、第１の筐体蓋部と第２筐体蓋部とを取り外し、新たな香料部材を配置することができる。つまり、香料の発散を永続させることができる。
また、一体となった第１の香料用内部空間及び第２の香料用内部空間に大きな香料部材を配置することができるので、香料を長い時間発散させることができる。
【０００９】
本考案に係る芳香装置では、前記第１の突出部及び前記第２の突出部は、互いに嵌合、係合、若しくは螺合する接合部を有する。
これにより、第１の筐体蓋部と第２の筐体蓋部とを確実にかつ容易に取り付け、また、取り外すことができる。
本考案に係る芳香装置では、前記第１の突出部及び前記第２の突出部は、
円筒形状を有する。
これにより、第１の筐体蓋部と第２筐体蓋部とを取り付け、また、取り外すことができる芳香装置を容易に製造することができる。
を特徴とする芳香装置。
【００１０】
本考案に係る芳香装置では、前記第２の蓋部は、前記第２の香料用内部空間に通ずる第２の孔を有する。
これにより、香料の拡散量をより多くすることができる。
ここで、請求項の構成要素と実施例の構成要素との対応関係を示す。
第１の筐体蓋部は本体蓋部１１ａに、第２の筐体蓋部は底蓋板部１３及び底蓋突出部１４ｂに、筐体側面部は左壁部１６ａ及び右壁部１６ｂに、筐体は本体蓋部１１ａ及び本体底部１１ｂに、係止部は底蓋突出部１４ｂの側面ＯＳ１４ｂに、第１の突出部は上蓋突出部１４ａに、第１の香料用内部空間は第１の香料用内部空間ＩＳ１４ａに、第１の孔は孔１９に、第２の突出部は底蓋突出部１４ｂに、第２の香料用内部空間は第２の香料用内部空間ＩＳ１４ｂに、第１の開口部は第１の開口部１７ａに、第２の開口部は第２の開口部１７ｂに、第２の突出部の側面部は側面ＯＳ１４ｂに、接合部はネジ部Ｓ１、Ｓ３に、それぞれ対応する。
【考案を実施するための最良の形態】
【００１１】
以下、本考案の実施例を図面を用いて詳細に説明していく。
【実施例１】
【００１２】
本考案に係る芳香装置の一実施例である芳香機能付アクセサリー１を図１〜図６を用いて説明する。
芳香機能付きアクセサリー１の斜視図を図１に示す。なお、図１においては芳香機能付きアクセサリー１を構成する部材が分離した状態を示している。
芳香機能付アクセサリー１は、本体蓋部１１ａ、本体底部１１ｂにより構成されている。また、本体蓋部１１ａは、上蓋板部１２及び上蓋突出部１４ａにより構成されている。上蓋板部１２は、薄い円盤形状を有している。
【００１３】
図２Ａに、本体蓋部１１ａの図１におけるｘ１−ｘ１断面を示す。上蓋突出部１４ａは、円筒形状を有しており、一端は上蓋板部１２によって閉じられており、他の一端は開放されている。つまり、上蓋突出部１４ａの内部には、第１の香料用内部空間ＩＳ１４ａが形成されている。端部が開放されている側の上蓋突出部１４ａの外周面ＯＳ１４ａには、ネジ部ｓ１が形成されている。
また、上蓋突出部１４ａは、その中心軸ＡＸ１４ａが上蓋板部１２の中心Ｏ１２を通るように、上蓋板部１２に接して配置される。なお、上蓋板部１２と上蓋突出部１４ａとは一体として構成される。
【００１４】
上蓋板部１２の中心には香料発散用の孔１９が形成されている。孔１９は、上蓋突出部１４ａの第１の内部空間ＩＳ１４ａに通じている。
図１戻って、本体底部１１ｂは、底蓋板部１３、底蓋突出部１４ｂ、左壁部１６ａ、及び、右壁部１６ｂにより構成されている。底蓋板部１３は、薄い円盤状を有している。
図２Ｂに、本体底部１１ｂの図１におけるｘ１−ｘ１断面を示す。底蓋突出部１４ｂは、円筒形状を有しており、一端は底蓋板部１３によって閉じられており、他の一端は開放されている。つまり、底蓋突出部１４ｂの内部には、第２の香料用内部空間ＩＳ１４ｂが形成されている。端部が開放されている側の底蓋突出部１４ｂの内周面ＯＳ１４ｂには、ネジ部ｓ３が形成されている。
また、底蓋突出部１４ｂは、その中心軸Ａ１４ｂが底蓋板部１３の中心Ｏ１３を通るように、底蓋板部１３に接して配置される。なお、底蓋板部１３と底蓋突出部１４ｂとは、一体として構成される。
【００１５】
図１に戻って、左壁部１６ａ及び右壁部１６ｂは、底蓋板部１３の外周に沿って配置される。左壁部１６ａの一の端部は、対応する右壁部１６ｂの端部と所定の間隔を空けて配置される。左壁部１６ａの他の一の端部についても同様である。つまり、左壁部１６ａと右壁部１６ｂとの間には、第１の開口部１７ａ及び第２の開口部１７ｂが形成される。
なお、図２Ａに示す上蓋突出部１４ａの中心軸ＡＸ１４ａ及び図２Ｂに示す下蓋突出部１４ｂの中心軸ＡＸ１４ｂは、図１に示す上蓋板部１２の中心Ｏ１２と底蓋板部１３の中心Ｏ１３とを結ぶ軸ＡＸ１上に存在する。
【００１６】
図２に示すように、本体蓋部１１ａと本体底部１１ｂとを、上蓋突出部１４ａが有するネジ部ｓ１と底蓋突出部１４ｂが有するネジ部ｓ３とを螺合させることで、互いに取り付け、また、取り外すことができる。本体蓋部１１ａと本体底部１１ｂとを取り付けた状態を図３に示す。
本体蓋部１１ａと本体底部１１ｂとを取り付けることで、左壁部１６ａ及び右壁部１６ｂの底蓋板部１３と接していない方の端部を、上蓋板部１２に接するように配置することができる。このように、本体蓋部１１ａと本体底部１１ｂとを取り付けることによって、第１の開口部１７ａ及び第２の開口部１７ｂ（図示せず）を閉じた開口とすることができる。
【００１７】
図３におけるＸ２−Ｘ２断面を図４に示す。左壁部１６ａ、左壁部１６ａに対向する下蓋突出部１４ｂの側面ＯＳ１４ｂ、上蓋板部１２、及び、底蓋板部１３によって、ヘッドホンの左のイヤーカップに続くコードを収納する左コード用通路空間ＲＳが形成される。同様に、右壁部１６ｂ、右壁部１６ｂに対向する下蓋突出部１４ｂの側面ＯＳ１４ｂ、上蓋板部１２、及び、底蓋板部１３によって、右コード用通路空間ＬＳが形成される。
【００１８】
本体底部１１ｂの第２の香料用内部空間ＩＳ１４ｂに香料を含ませた脱脂綿等の香料部材を配置し、本体蓋部１１ａと本体底部１１ｂとを取り付ける。本体蓋部１１ａと本体底部１１ｂとを取り付けることによって、第２の香料用内部空間ＩＳ１４ｂに配置された香料部材を上蓋突出部１４ａの第１の香料用内部空間ＩＳ１４ａに配置することができる。したがって、第１の香料用内部空間ＩＳ１４ａに通ずる孔１９から香料を発散させることができる。
芳香機能付アクセサリー１を携帯型音楽プレイヤーのヘッドホンのコードに取り付けた状態を図５に示す。
【００１９】
図６に図５のＸ３−Ｘ３断面を示す。ヘッドホンのコードには左右のイヤーカップへと分岐する分岐部Ｂが存在する。芳香機能付きアクセサリー１をヘッドホンに用いる場合には、分岐点Ｂを、第１の開口１７ａ側に配置し、左のイヤーカップに接続するコードを左コード用通路ＬＳを通って第２の開口部１７ｂへと通し、一方、右のイヤーカップに接続するコードを右コード用通路ＲＳを通って第２の開口部１７ｂへと通す。
ヘッドホンを使用する場合、分岐点Ｂは胸の正面あたりに位置する。したがって、分岐部Ｂに下蓋突出部４ｂの側面部ＯＳ１４ｂが引っかかる。このため、芳香機能付きアクセサリー１をコードに係止させることができる。
このように芳香機能付きアクセサリー１は、芳香機能を有する。香料を浸透させた脱脂綿等を第１の香料用内部空間ＩＳ１４ａ、第２の香料用内部空間ＩＳ１４ｂに配置するにより、上蓋板部１２に設けられた孔１９穴より匂いを発散させることができる。
【００２０】
［その他の実施例］
（１）  上蓋突出部
前述の実施例１においては、本体蓋部１１ａに上蓋突出部１４ａを本体底部１１ｂに底蓋突出部１４ｂを有することとしたが、本体蓋部１１ａ又は本体底部１１ｂのいずれか一方に突出部を設けるようにしてもよい。
また、前述の実施例１においては、本体蓋部１１ａと本体底部１１ｂとを取り付けた際に、第２の香料用内部空間ＩＳ１４ｂ内に第１の香料用内部空間ＩＳ１４ａが含まれるようにしたが、例えば、図７に示すように、第１の香料用内部空間ＩＳ１４ａ及び第２の香料用内部空間ＩＳ１４ｂによって、一つの香料用内部空間が形成されるようにしてもよい。
さらに、前述の実施例１においては、本体蓋部１１ａに上蓋突出部１４ａと本体底部１１ｂの底蓋突出部１４ｂとを対向する位置に配置したが、異なる位置に配置するようにしてもよい。例えば、前述の実施例１において、上蓋板部１２の中心Ｏ１２と底蓋板部１３の中心Ｏ１３とを結ぶ軸ＡＸ１上に、上蓋突出部１４ａの中心軸ＡＸ１４ａ及び底蓋突出部１４ｂの中心軸ＡＸ１４ｂが配置したが、図７に示すように、ＡＸ１とＡＸ１４ａ、ＡＸ１４ｂが別々に配置されるようにしてもよい。
【００２１】
（２）係止部
前述の実施例１においては、右コード用通路ＲＳ及び左コード用通路ＬＳにヘッドホン用のコードを配置することによって、芳香機能付きアクセサリー１をヘッドホンのコードに係止することとしたが、芳香機能付きアクセサリー１をコードに係止できるものであれば例示のものに限定されない。例えば、本体底部１１ｂの背面にコードを挟み込む部材、例えば図９に示す係止部を設けるようにしてもよい。
また、前述の実施例１においては、ヘッドホンのコードにおける分岐点Ｂを底蓋突出部１４ｂの側面ＯＳ１４ｂに引っかけることによって、芳香機能付きアクセサリー１をヘッドホンのコードに係止するようにしたが、芳香機能付きアクセサリー１をコードに係止するものであれば例示のものに限定されない。例えば、ヘッドホンのコードの一端を、第１の開口部１７ａから挿入し、底蓋突出部１４ｂの側面ＯＳ１４ｂに周回させて、第２の開口部１７ｂから取り出すようにしてもよい。これにより、分岐点Ｂのない位置に置いてもヘッドホンのコードに芳香機能付きアクセサリー１を係止することができる。
【００２２】
（３）接合部
前述の実施例１においては、上蓋突出部１４ａと底蓋突出部１４ｂとをネジ部Ｓ１、Ｓ３を螺合させることによって一体としたが、両者を嵌合することによって一体とするようにしてもよい。また、ネジ部に変わって、係合部を設け両者を一体とするようにしてもよい。
【００２３】
（４）突出部の形状
前述の実施例１においては、上蓋突出部１４ａ及び底蓋突出部１４ｂは、円筒形状としたが、第１の香料用内部空間ＩＳ１４ａ及び第２の香料用内部空間ＩＳ１４ｂを形成するものであれば、例示のものに限定されない。例えば、上蓋突出部１４ａ及び底蓋突出部１４ｂは、角柱形状であってもよい。
【００２４】
（５）孔の配置
前述の実施例１においては、上蓋板部１２の中心に孔１９を設けるようにしたが、第１の香料用内部空間ＩＳ１４ａに配置された香料部材の香料を発散させることができるものであれば例示のものに限定されない。例えば、上蓋板部１２に複数の孔を設けるようにしてもよい。
また、底蓋板部１３の中心に孔を設けるようにしてよい。さらに、底蓋板部１３に複数の孔を設けるようにしてもよい。
さらに、上蓋板部１２及び底蓋板部１３のそれぞれの中心に孔を設けるようにしてよい。さらに、上蓋板部１２及び底蓋板部１３のそれぞれに複数の孔を設けるようにしてもよい。
【００２５】
（６）携帯型音楽プレイヤー
前述の実施例１においては、芳香機能付きアクセサリー１を携帯型音楽プレイヤーのヘッドホンのコードに用いたが、カフスボタン等に用いてもよい。
【図面の簡単な説明】
【００２６】
【図１】本考案に係る芳香装置の一実施例である芳香機能付きアクセサリー１の分解斜視図である。
【図２】図１に係る芳香機能付きアクセサリー１の断面図であり、Ａは本体蓋部１１ａの断面図を、Ｂは本体底部１１ｂの断面図である。
【図３】図１に係る芳香機能付きアクセサリー１の斜視図である。
【図４】図３におけるＸ２−Ｘ２断面を示す断面図である。
【図５】図１における芳香機能付きアクセサリー１をヘッドホンに取り付けた状態を示した図である。
【図６】図５におけるＸ３−Ｘ３断面を示した断面図である。
【図７】本考案に係る芳香装置の他の実施例を示す図である。
【図８】本考案に係る芳香装置の他の実施例を示す図である。
【図９】本考案に係る芳香装置の他の実施例を示す図である。
【符号の説明】
【００２７】
１・・・芳香機能付アクセサリー
１１ａ・・・本体蓋部  
１１ｂ・・・本体底部
１２・・・・上蓋板部
１３・・・・底蓋板部
１４ａ・・・上蓋突出部
１４ｂ・・・底蓋突出部
１６ａ・・・左壁部
１６ｂ・・・右壁部
１７ａ・・・第１の開口部
１７ｂ・・・第２の開口部
１９・・・・孔
Ｓ１・・・・ネジ部
Ｓ３・・・・ネジ部
ＩＳ１４ａ・・・第１の香料用内部空間
ＩＳ１４ｂ・・・第２の香料用内部空間
【図１】
0003145684.tif 000003
【図２】
0003145684.tif 000004
【図３】
0003145684.tif 000005
【図４】
0003145684.tif 000006
【図５】
0003145684.tif 000007
【図６】
0003145684.tif 000008
【図７】
0003145684.tif 000009
【図８】
0003145684.tif 000010
【図９】
0003145684.tif 000011